【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
長手方向に延在する主磁石であって、主ボア並びに前記主磁石の第１及び第２の対向する長手方向端部に配置される対向する第１及び第２の端部を有し、且つ前記主ボアの走査ボリュームの内部に実質的に均一な磁界を生成する、主磁石と、
システムクロックに従ってクロック同期信号を生成するシステムコントローラと、
第１及び第２の送信アンテナであって、前記第１の送信アンテナが前記主磁石の前記第１の対向する長手方向端部に隣接して位置し、前記第２の送信アンテナが前記主磁石の前記第２の対向する長手方向端部に隣接して位置し、前記第１及び第２の送信アンテナが、各々前記主ボアの長手軸を中心に円周方向に延在し、前記主磁石の前記主ボアに前記クロック同期信号を送信する、第１及び第２の送信アンテナと、
少なくとも１つの無線受信アンテナ及びシンクロナイザを含む無線周波数（ＲＦ）部であって、
前記少なくとも１つの無線受信アンテナが、前記主磁石の前記主ボアの内部に位置し、且つ前記第１及び第２の送信アンテナによって送信された前記クロック同期信号を受信し、
前記シンクロナイザが、前記少なくとも１つの無線受信アンテナと結合され、且つ受信された前記クロック同期信号に従って前記ＲＦ部のクロックを同期させる、無線周波数（ＲＦ）部と
を含む、同期装置。
【請求項２】
前記第１及び第２の送信アンテナが、前記主磁石の前記第１及び第２の対向する長手方向端部それぞれから前記主ボアに前記クロック同期信号を同期して送信し、前記クロック同期信号は、Ｖｐ（ｔ）・ｓｉｎ（ωｃ・ｔ）の形式で搬送波信号に変調されるパイロット信号を含み、ここで、Ｖｐは時間（ｔ）の関数としての前記パイロット信号の振幅であり、ωｃは前記搬送波信号の角周波数である、請求項１に記載の同期装置。
【請求項３】
前記第１及び第２の送信アンテナが、前記送信されたクロック同期信号が前記主磁石の前記主ボアの少なくとも一部の内部で定在波信号パターンを形成するように、前記主ボアに対して構成される、請求項１に記載の同期装置。
【請求項４】
前記少なくとも１つの無線受信アンテナが、前記第１及び第２の送信アンテナ間に位置し、前記主磁石の前記対向する長手方向端部に配置される前記第１及び第２の送信アンテナによってそれぞれの対向する方向から送信される前記クロック同期信号のみを受信する、請求項１に記載の同期装置。
【請求項５】
前記第１及び第２の送信アンテナが互いに結合されて定在波共振器を形成し、前記定在波共振器は、共振ボリューム内で、送信された前記クロック同期信号が定在波信号パターンを形成する当該共振ボリュームを有する、請求項１に記載の同期装置。
【請求項６】
前記少なくとも１つの無線受信アンテナが、前記定在波信号パターンの内部に位置するように、前記第１及び第２の送信アンテナ間で、前記共振ボリュームの内部に位置し、前記主磁石の前記対向する長手方向端部に配置される前記第１及び第２の送信アンテナによってそれぞれの対向する方向から送信される前記クロック同期信号のみを受信する、請求項５に記載の同期装置。
【請求項７】
磁気共鳴（ＭＲ）システムの無線周波数（ＲＦ）部を前記ＭＲシステムのシステムクロックと無線的に同期させる方法であって、前記ＭＲシステムが、少なくとも１つのコントローラと、長手方向に延在する主磁石であって、前記主磁石の対向する長手方向端部に配置される対向する第１及び第２の端部並びに前記対向する第１及び第２の端部間に位置する主ボアを有する主磁石とを有し、前記方法が、前記少なくとも１つのコントローラによって実施され、且つ以下の動作：
前記システムクロックに従ってクロック同期信号を生成する動作と、
前記主ボアの長手軸を中心に円周方向に延在し、前記主磁石の第１の前記長手方向端部に隣接して位置する第１の送信アンテナと、前記主ボアの前記長手軸を中心に円周方向に延在し、前記主磁石の第２の前記長手方向端部に隣接して位置する第２の送信アンテナとから、前記主磁石の前記主ボアに前記クロック同期信号を送信する動作と、
前記主磁石の前記主ボアの内部に位置する少なくとも１つの無線受信アンテナを使用して、前記主磁石の前記対向する長手方向端部に配置される前記第１及び第２の送信アンテナから送信される前記クロック同期信号を受信する動作と、
前記受信されたクロック同期信号に従って前記ＲＦ部の内部クロックを同期させる動作と
を含む、方法。
【請求項８】
前記クロック同期信号を送信する前記動作が、前記主磁石の前記対向する第１及び第２の端部から、それぞれ前記第１及び第２の送信アンテナを使用して前記主ボアに前記クロック同期信号を同期して送信する動作を更に含み、前記クロック同期信号は、Ｖｐ（ｔ）・ｓｉｎ（ωｃ・ｔ）の形式で搬送波信号に変調されるパイロット信号を含み、ここで、Ｖｐは時間（ｔ）の関数としての前記パイロット信号の振幅であり、ωｃは前記搬送波信号の角周波数である、請求項７に記載の方法。
【請求項９】
前記クロック同期信号を送信する前記動作が、前記第１及び第２の送信アンテナによって送信される前記送信クロック同期信号によって、前記主磁石の前記主ボアの内部に定在波パターンを形成する動作を更に含む、請求項７に記載の方法。
【請求項１０】
前記少なくとも１つの無線受信アンテナを、前記第１及び第２の送信アンテナ間に配置して、それぞれの対向する方向から送信される前記クロック同期信号のみを受信する動作を含み、前記クロック同期信号を受信する前記動作が、前記送信クロック同期信号の定在波パターンを受信する動作を更に含む、請求項７に記載の方法。
【請求項１１】
前記第１及び第２の送信アンテナを一緒に結合して定在波共振器を形成して、前記クロック同期信号を送信する際に前記主磁石の前記主ボアの内部に定在波信号パターンを生成する動作を更に含む、請求項７に記載の方法。
【請求項１２】
前記クロック同期信号を送信する前記動作が、搬送波信号に変調される前記同期信号の内部にパイロットトーンを含める動作を更に含む、請求項１１に記載の方法。
【請求項１３】
コンピュータ可読メモリ媒体上に格納されたコンピュータプログラムであって、磁気共鳴（ＭＲ）システムの無線周波数（ＲＦ）部を前記ＭＲシステムのシステムクロックと無線的に同期させ、前記ＭＲシステムが、少なくとも１つのコントローラと、長手方向に延在する主磁石であって、前記主磁石の対向する長手方向端部に配置される対向する第１及び第２の端部並びに前記対向する第１の端部及び第２の端部間に位置する主ボアを有する主磁石とを有し、前記コンピュータプログラムが：
前記システムクロックに従ってクロック同期信号を生成し、
前記主ボアの長手軸を中心に円周方向に延在し、前記主磁石の第１の前記長手方向端部に隣接して位置する第１の送信アンテナと、前記主ボアの前記長手軸を中心に円周方向に延在し、前記主磁石の第２の前記長手方向端部に隣接して位置する第２の送信アンテナとを使用して、前記主磁石の前記主ボアに前記クロック同期信号を送信し、
前記主磁石の前記主ボアの内部に位置する少なくとも１つの無線受信アンテナを使用して、前記主磁石の前記対向する長手方向端部に配置される前記第１及び第２の送信アンテナから前記クロック同期信号を受信し、且つ
前記受信されたクロック同期信号に従って前記ＲＦ部の内部クロックを同期させる
プログラム部分を含む、コンピュータプログラム。
【請求項１４】
前記プログラム部分が更に、前記クロック同期信号を送信する際に、前記主磁石の前記対向する第１及び第２の端部から、それぞれ前記第１及び第２の送信アンテナを使用して前記主ボアに前記クロック同期信号を同期して送信させ、前記クロック同期信号は、Ｖｐ（ｔ）・ｓｉｎ（ωｃ・ｔ）の形式で搬送波信号に変調されるパイロット信号を含み、ここで、Ｖｐは時間（ｔ）の関数としての前記パイロット信号の振幅であり、ωｃは前記搬送波信号の角周波数である、請求項１３に記載のコンピュータプログラム。
【請求項１５】
前記少なくとも１つの無線受信アンテナが、前記第１及び第２の送信アンテナ間に配置され、それぞれの対向する方向から送信される前記クロック同期信号のみを受信し、前記第１及び第２の送信アンテナによって送信される前記送信クロック同期信号によって、前記主磁石の前記主ボアの内部に定在波パターンを更に形成させる、請求項１３に記載のコンピュータプログラム。
【請求項１６】
搬送波信号に変調される前記同期信号の内部にパイロットトーンを更に含む、請求項１３に記載のコンピュータプログラム。
【請求項１７】
前記少なくとも１つの無線受信アンテナが、前記第１及び第２の送信アンテナ間に配置され、それぞれの対向する方向から送信される前記クロック同期信号のみを受信し、前記クロック同期信号を送信する際に、前記主ボアの内部に定在波パターンを形成するように、前記第１及び第２の送信アンテナの各々に等しい振幅及び位相で前記クロック同期信号を更に提供させる、請求項１３に記載のコンピュータプログラム。
【請求項１８】
更に前記第１及び第２の送信アンテナを一緒に結合して定在波共振器を形成して、前記クロック同期信号を送信する際に前記主磁石の前記主ボアの内部に定在波信号パターンを生成させる、請求項１７に記載のコンピュータプログラム。